(57)【要約】【課題】  レジストローラに付着した紙粉等をクリーニングウェブを用いて清掃することによって、経時を含め、安定した搬送品質を提供可能とする。【解決手段】  レジストローラ２３を金属製のレジストローラ２３ａとゴム製のレジストローラ２３ｂとで構成する。ゴム製のレジストローラ２３ｂの表面に清掃用のクリーニングウェブ２３ｃを接触させる。接触は、加圧ローラ２３ｄを用いてクリーニングウェブ２３ｃを押圧し手行う。加圧ローラ２３ｄには、紙粉等の付着物の帯電極性と逆極性の電圧を印加し、レジストローラ２３ｂに付着した紙粉等をクリーニングウェブ２３ｃを用いて清掃することによって、経時的にも安定した清掃性能及びレジストローラとしての搬送品質を提供可能とする。【選択図】        図２
2006117420.tif 000002
【特許請求の範囲】
【請求項１】
用紙積載部から画像形成部へ用紙を搬送する経路中に位置するレジストローラに付着した紙粉等を清掃するための清掃装置であって、クリーニングウェブと、該クリーニングウェブを前記レジストローラに押圧する加圧ローラと、該加圧ローラに前記紙粉等の帯電極性と逆極性の電圧を印加する電圧印加手段とからなり、前記クリーニングウェブを前記レジストローラ表面に接触させることにより該レジストローラ表面に付着した前記紙粉等を清掃することを特徴とする清掃装置。
【請求項２】
請求項１記載の清掃装置において、前記加圧ローラ及び前記電圧印加手段をそれぞれ複数有し、前記クリーニングウェブを前記レジストローラ表面と複数所で接触させ、該クリーニングウェブの保持経路をＳ字状とし得ることを特徴とする清掃装置。
【請求項３】
請求項１または２記載の清掃装置において、前記レジストローラ表面に対して前記クリーニングウェブを接離させるために駆動する接離駆動手段を備えたことを特徴とする清掃装置。
【請求項４】
請求３記載の清掃装置において、前記接離駆動手段が電磁ソレノイドとリンク機構からなることを特徴とする清掃装置。
【請求項５】
請求項３または４記載の清掃装置において、前記接離駆動手段が、清掃動作時のみ前記レジストローラ表面に前記クリーニングウェブを接触状態とし、清掃動作時以外は非接触状態となるように接離動作を行う制御手段を含むことを特徴とする清掃装置。
【請求項６】
請求項５記載の清掃装置において、前記制御手段が、予め設定した清掃間隔情報に基づいて清掃動作を行わせる制御を行うことを特徴とする清掃装置。
【請求項７】
請求項６記載の清掃装置において、前記制御手段が、一の清掃時から次の清掃時までの清掃間隔の間に通紙する通紙枚数Ｎを設定できる設定手段と、前回の清掃時からの累積通紙枚数Ｌを記憶しておく記憶手段を備え、前記設定手段によって設定した清掃間隔通紙枚数Ｎに累積通紙枚数Ｌが一連の印刷要求中に達した場合は、その印刷要求の残り枚数Ｍと清掃間隔通紙枚数Ｎとを比較し、Ｎ／１０＞Ｍの場合はその一連の印刷要求が終了後に清掃動作を行い、Ｎ／１０≦Ｍの場合は印刷動作を一時中断し清掃動作を行い、清掃動作終了時に印刷動作を再開する制御を行うことを特徴とする清掃装置。
【請求項８】
請求項１から７のいずれかに記載の清掃装置において、記録動作実行時以外にレジストローラ清掃動作を実行するボタンを備えたことを特徴とする清掃装置。
【請求項９】
請求項１から８のいずれかに記載の清掃装置において、前記レジストローラ清掃動作を実行時に清掃動作を実行している旨を表示可能としたことを特徴とする清掃装置。
【請求項１０】
請求項１から９のいずれかに記載の清掃装置を備えることを特徴とする画像形成装置。
【請求項１１】
請求項１０記載の画像形成装置において、前記レジストローラ清掃動作を実行時に印刷ジョブ入力があった場合、清掃動作が完了するまで記録動作を待機させ、記録動作中に清掃動作を実行する入力があった場合は、記録動作が完了するまで清掃動作を待機させる制御を行うことを特徴とする画像形成装置。
【発明の詳細な説明】
【技術分野】
【０００１】
本発明は、複写機、ファクシミリ、プリンタ、印刷機等の画像形成装置が備えるレジストローラ対に付着した紙粉等を清掃する清掃装置と、これを備えた画像形成装置に関する。
【背景技術】
【０００２】
複写機等の画像形成装置において使用する用紙にはタルク（滑石等）等の添加剤が付与してあるものが多い。画像形成装置の用紙積載部に積載した用紙を搬送する過程で、これらの添加剤は紙粉となって用紙から落下しやすい。落下した紙粉が搬送ローラ等に付着すると、搬送ローラ等の搬送手段の用紙との間の摩擦係数が低下することによって、用紙の搬送不良が発生しやすくなる。
【０００３】
また、省資源、リサイクルについての活動が活発に行わる傾向にある中で、再生紙の利用比率が増加している。再生紙は、一般的に添加剤の量が多いこともあり、紙粉の発生率がバージン紙に比較すると多くなってしまう傾向がある。
【０００４】
一方、レジストローラ対の大部分は金属ローラとゴムローラの組合せで構成され、従来においては金属ローラ側にスクレーパーを当接させる等してレジストローラに付着した紙粉等を除去、回収している。
【０００５】
また例えば、レジストローラの比誘電率を選択することにより、紙粉等の付着物を負に、ローラを正に摩擦帯電させ、用紙上の紙粉等をローラに吸着する手法（例えば特許文献１参照）、レジストローラのクリーニングにブレードを使用し、ブレードとその支持機構をシャトル状に移動させる手法（例えば特許文献２参照）、レジストローラのクリーニングに接離機構を有するブレードを使用し、離状態でブレードに溜まった紙粉等を紙粉受けに移す手法等も提案してある（例えば特許文献３参照）。
【特許文献１】特開２００２−１５４６９９号公報
【特許文献２】特開２００２−３１６７３８号公報
【特許文献３】特開平１０−１２９８７４号公報
【発明の開示】
【発明が解決しようとする課題】
【０００６】
しかしながら、金属ローラの表面に付着する紙粉からゴムローラ側に付着した紙粉の方が給紙搬送系の余裕度をなくしてしまうという問題や、レジストローラの清掃は機内に腕を入れて作業をしないとできないため、作業性が悪く、清掃がきちんとなしてあるかを確認しにくいという問題については解決されていない。
【０００７】
本発明は、レジストローラに付着した紙粉等をクリーニングウェブを用いて清掃することによって、経時を含め、安定した搬送品質を提供できるレジストローラ清掃装置と、これを備える画像形成装置を提供することを目的とする。
【課題を解決するための手段】
【０００８】
本発明の請求項１に係る清掃装置は、用紙積載部から画像形成部へ用紙を搬送する経路中に位置するレジストローラに付着した紙粉等を清掃するための清掃装置であって、クリーニングウェブと、該クリーニングウェブを前記レジストローラに押圧する加圧ローラと、該加圧ローラに前記紙粉等の帯電極性と逆極性の電圧を印加する電圧印加手段とからなり、前記クリーニングウェブを前記レジストローラ表面に接触させることにより該レジストローラ表面に付着した前記紙粉等を清掃することを特徴とする。
【０００９】
同請求項２に係るものは、請求項１記載の清掃装置において、前記加圧ローラ及び前記電圧印加手段をそれぞれ複数有し、前記クリーニングウェブを前記レジストローラ表面と複数所で接触させ、該クリーニングウェブの保持経路をＳ字状とし得ることを特徴とする。
【００１０】
同請求項３に係るものは、請求項１または２記載の清掃装置において、前記レジストローラ表面に対して前記クリーニングウェブを接離させるために駆動する接離駆動手段を備えたことを特徴とする。
【００１１】
同請求項４に係るものは、請求３記載の清掃装置において、前記接離駆動手段が電磁ソレノイドとリンク機構からなることを特徴とする。
【００１２】
同請求項５に係るものは、請求項３または４記載の清掃装置において、前記接離駆動手段が、清掃動作時のみ前記レジストローラ表面に前記クリーニングウェブを接触状態とし、清掃動作時以外は非接触状態となるように接離動作を行う制御手段を含むことを特徴とする。
【００１３】
同請求項６に係るものは、請求項５記載の清掃装置において、前記制御手段が、予め設定した清掃間隔情報に基づいて清掃動作を行わせる制御を行うことを特徴とする。
【００１４】
同請求項７に係るものは、請求項６記載の清掃装置において、前記制御手段が、一の清掃時から次の清掃時までの清掃間隔の間に通紙する通紙枚数Ｎを設定できる設定手段と、前回の清掃時からの累積通紙枚数Ｌを記憶しておく記憶手段を備え、前記設定手段によって設定した清掃間隔通紙枚数Ｎに累積通紙枚数Ｌが一連の印刷要求中に達した場合は、その印刷要求の残り枚数Ｍと清掃間隔通紙枚数Ｎとを比較し、Ｎ／１０＞Ｍの場合はその一連の印刷要求が終了後に清掃動作を行い、Ｎ／１０≦Ｍの場合は印刷動作を一時中断し清掃動作を行い、清掃動作終了時に印刷動作を再開する制御を行うことを特徴とする。
【００１５】
同請求項８に係るものは、請求項１から７のいずれかに記載の清掃装置において、記録動作実行時以外にレジストローラ清掃動作を実行するボタンを備えたことを特徴とする。
【００１６】
同請求項９に係るものは、請求項１から８のいずれかに記載の清掃装置において、前記レジストローラ清掃動作を実行時に清掃動作を実行している旨を表示可能としたことを特徴とする。
【００１７】
本発明の請求項１０に係る画像形成装置は、請求項１から９のいずれかに記載の清掃装置を備えることを特徴とする。
【００１８】
同請求項１１に係るものは、請求項１０記載の画像形成装置において、前記レジストローラ清掃動作を実行時に印刷ジョブ入力があった場合、清掃動作が完了するまで記録動作を待機させ、記録動作中に清掃動作を実行する入力があった場合は、記録動作が完了するまで清掃動作を待機させる制御を行うことを特徴とする。
【発明の効果】
【００１９】
本発明は、レジストローラに付着する紙粉等を清掃し、搬送品質の低下を防止し、経時を含め安定した搬送品質を得ることができる。
【発明を実施するための最良の形態】
【００２０】
以下本発明を実施するための最良の形態を、図に示す実施例を参照して説明する。
【００２１】
図１は本発明の実施対象となるカラーに係る画像形成装置の一例を示す概略的断面図である。図１のカラー画像形成装置は、その略中央に画像形成部１を配置し、この画像形成部１のすぐ下方に給紙部２が配置してある。給紙部２は、各段に給紙トレイ２１を備えている。必要に応じて別の給紙装置２２を増設することができる。
【００２２】
画像形成部１の上方には、原稿を読み取るための読取部３が配設してある。また画像形成部１の図中左側には排紙収納部４を配し、画像形成された用紙を排紙収納するようになっている。
【００２３】
画像形成部１では、ベルト状をした中間転写ベルト５の上に、複数の作像部６が並列配置してあり、おのおのの作像部６では、ドラム状をした感光体６１の周囲に、感光体６１の表面に帯電処理を行う帯電装置６２、画像情報を感光体６１の表面にレーザ光で照射する露光装置７、感光体６１の表面に露光、形成された静電潜像を可視化する２つの現像装置６３、及び感光体６１上に残留するトナーを除去回収するクリーニング装置６４が配置してある、
【００２４】
作像プロセスとしては、中間転写ベルト５が回転して１つのカラー画像を形成している。最初に、イエロー（Ｙ）の作像部で、イエロー（Ｙ）のトナーを現像し、中間転写ベルト５に転写する。次に、マゼンタ（Ｍ）の作像部で、マゼンタのトナーを現像し、中間転写ベルト５に転写する。次に、シアン（Ｃ）の作像部で、シアンのトナーを現像し、中間転写ベルト５に転写し、最後に、ブラック（ＢＫ）のトナーを現像し中間転写ベルト５に転写する。
【００２５】
中間転写ベルト５の周りには、中間転写ベルト５上に現像された４色のトナー像を用紙に転写する転写装置５１、転写後中間転写ベルト５の表面に残留するトナーを除去回収する中間転写クリーニング装置５２がそれぞれ配置してある。
【００２６】
またトナー像を得た用紙上のトナーを定着処理する定着装置８が画像形成部１の用紙搬送経路での下流側に配置してある。定着装置８を通過した用紙は排紙ローラ４１により排紙収納部４に排紙収納される。ただし両面印刷時は、分岐部９１で用紙の搬送が分岐され、両面装置９を経由して用紙を反転させ、レジストローラ２３で用紙のスキューを補正し、裏面画像形成動作に至る。
【００２７】
給紙部２においては、給紙トレイ２１に一般的には未使用の用紙または用紙束を収容してあり、回動可能に支持した底板２４が上方へ回動し、最上の用紙をピックアップローラ２５に当接可能な位置まで上昇させる。そして給紙ローラ２６の回転により最上紙は給紙トレイ２１から送り出され、レジストローラ２３へと搬送される。レジストローラ２３は、用紙の搬送を一時止め、感光体６１表面のトナー像と用紙の先端との位置関係が所定の関係になるように用紙を送り出すもので、そのタイミングをとって回転を開始するように制御する。
【００２８】
読み取り部３では、コンタクトガラス３１上に載置する原稿（不図示）の読み取り走査を行うために、原稿照明用光源とミラーよりなる読み取り走行体３２、３３が往復移動する。この読み取り走行体３２、３３により走査した画像情報は、レンズ３４の後方に設けてあるＣＣＤ３５に画像信号として読み込む。この読み込み画像信号は、デジタル化して画像処理する。そして画像処理した信号に基づいて、露光装置７内のレーザダイオードＬＤ（不図示）の発光により感光体６１の表面に静電潜像を形成する。ＬＤからの光信号は、公知のポリゴンミラーやレンズを介して感光体６１に至る。
【００２９】
なお読み取り部３の上方には、読み取り対象の原稿を自動的にコンタクトガラス３１上へ搬送する自動原稿搬送装置３６が取り付できる。
【００３０】
本例のカラー画像形成装置は、上述したように原稿を走査して読み取り、デジタル化して用紙に複写する、いわゆるデジタルカラー複写機としての機能の他に、図示しない制御装置により原稿の画像情報を遠隔地と授受するファクシミリの機能や、コンピュータが扱う画像情報を用紙上に印刷するいわゆるプリンタの機能を有する多機能の画像形成装置であるように構成できる。どの機能によって形成された画像もすべて一つの排紙収納部４に排出、収納する。
【００３１】
なお分岐爪９１によって用紙を分岐させ、両面装置９を経由して用紙を反転させ、反転排紙ローラ９２を経由して排紙ローラ４１から排出した場合、排紙収納部４にスタックした用紙は、画像面が下向きになった状態であり、複写、ファクシミリ、プリンタで扱う原稿の処理順が１ページから行われて印刷されても、排紙収納部４から取り出したときは、１ページ目が最上になっており、改めてページを揃えるなどの作業から開放され得る。
【００３２】
次に、このような画像形成装置の搬送経路上に配設する本発明の紙粉除去用の清掃装置の実施例を説明する。
【実施例１】
【００３３】
図２を用いて本発明に係る清掃装置の第１実施例を説明する。図２は本発明に係る清掃装置におけるレジスト部の要部を簡略的に示す断面図である。本実施例は、金属製のレジストローラ２３ａとゴム製のレジストローラ２３ｂとでレジストローラ２３を構成し、ゴム製のレジストローラ２３ｂ表面に清掃用のクリーニングウェブ２３ｃを接触させる際に、加圧ローラ２３ｄを用いてクリーニングウェブ２３ｃを押圧し、かつ加圧ローラ２３ｄに印加手段２３ｋによって紙粉等の帯電極性と逆極性の電圧を印加し、レジストローラ２３ｂに付着した紙粉等をクリーニングウェブ２３ｃを用いて清掃することによって、経時的にも安定した清掃性能及びレジストローラとしての搬送品質を提供可能とするものである。図中２３ｅはウェブ巻取りローラ、２３ｆはウェブ送り出しローラである。
【００３４】
なお図２の例ではゴム製のレジストローラ２３ｂを用紙Ｐの下側となるように配設し、清掃装置を構成するクリーニングウェブ２３ｃ、加圧ローラ２３ｄ、ウェブ巻取りローラ２３ｅ、ウェブ送り出しローラ２３ｆも図２に示す位置に配接してあるが、これら清掃装置の構成要素の位置関係はこの例のものに限定されない。また位置関係が把握しやすいように図示の必要がない部品については省略してある。
【００３５】
そして、図に示すように、ゴム製のレジストローラ２ｂ表面にクリーニングウェブ２３ｃを接触させる際に、加圧ローラ２３ｄを用いて押圧することで接触圧を均一に保ち、また容易に圧力管理を行うことができ、かつ加圧ローラ２３ｄに紙粉の帯電極性と逆極性の電圧を印加する構成になっているので、レジストローラ２３ｂに接したクリーニングウェブ２３ｃはレジストローラ２３ｂ表面に付着した紙粉等を拭取り、清掃する。そして一定枚数の用紙Ｐの通紙後、図示しない駆動源によりウェブ巻取りローラ２３ｅが回転し、クリーニングウェブ２３ｃの使用済み箇所を巻取り、レジストローラ２３ｂとの接触面にクリーニングウェブ２３ｃの未使用部分を接触させ、次のクリーニングに備える。
【実施例２】
【００３６】
図３を用いて本発明に係る清掃装置の第２実施例を説明する。図３は本発明に係る清掃装置におけるレジスト部の要部を簡略的に示す断面図である。本実施例は、図に示すように複数の加圧ローラ２３ｄとダミーローラ２３ｇとでクリーニングウェブ２３ｃの保持経路をＳ字状にすることで、クリーニングウェブ２３ｃの両面を使用してレジストローラ２３ｂの清掃を行うことができるようにしたものである。この構成によりクリーニングウェブ２３ｃの利用効率が向上し、クリーニングウェブ２３ｃを無駄なく利用することができる。
【実施例３】
【００３７】
図４を用いて本発明に係る清掃装置の第３実施例を説明する。図４は本発明に係る清掃装置におけるレジスト部の要部を簡略的に示す側面図である。クリーニングウェブ２３ｂ（この図では不図示）をレジストローラ２３ｂに押圧するだけであれば、バネ等でレジストローラ２３ｂのローラ軸を加圧することで対応可能であるが、ゴムローラであるレジストローラ２３ｂへクリーニングウェブが常時当接状態にあると、当然ゴムローラに負荷が掛かることになる。そこで、電磁ソレノイド２３ｈとリンク機構２３ｊを用いた接離機構を追加することによって、レジストローラ２３ｂへの負荷を低減させ、清掃時以外は清掃装置をレジストローラ２３ｂの表面に接触させないという制御を行うことを可能としている。
【００３８】
すなわち、レジストローラ２３ｂの表面とクリーニングウェブ２３ｃの接離を行うことで、過剰な清掃を行うことによるレジストローラ２３ｂへの負荷を軽減し、効率的に清掃を行う。また接離機構にソレノイドとリンク機構を用いることで、簡単な構成でクリーニングウェブ２３ｃの接離駆動を行える。
【実施例４】
【００３９】
図５、図６を用いて本発明に係る清掃装置の第４実施例を説明する。図５は本発明に係る清掃装置を採用する画像形成装置、例えば図１に示す画像形成装置の構成を簡略的に示す機能ブロック図、図６は図５の装置の動作のフロー図である。
【００４０】
画像形成装置１００は、内蔵するコントローラ制御部１０１がホストコンピュータ２００と通信可能に接続するとともに、コントローラ制御部１０１には表示部１０２と、ビデオインターフェースを介してエンジン制御部１０３とが接続し、エンジン制御部１０３によって画像形成部１、給紙部２、定着装置８を駆動制御する。制御内容は、例えば清掃間隔情報を設定することによって、定期的にレジストローラ２３ｂの清掃を行う、あるいは、一定条件に適合する場合は印刷動作を一時中断し清掃動作を実行するといったもので、後者は、一連の印刷要求中に清掃間隔通紙枚数に累積通紙枚数が達した場合に搬送品質を確できる。
【００４１】
この制御の場合、清掃間隔通紙枚数Ｎはキーパネル等の入力手段から設定することができ、その清掃間隔情報に基づいて図６に示すような順序で一連の制御を行う。すなわち、印刷ジョブ入力（ステップ１）、記録動作開始（ステップ２）、累積通紙枚数Ｌのカウントアップ（ステップ３）、清掃通紙枚数Ｎに達したかどうかの判断（ステップ４）、達した場合の印刷ジョブ終了の判断（ステップ５）、ジョブ終了による記録動作の完了（ステップ６）と続く主たる動作フローにおいて、ステップ４で清掃間隔通紙枚数Ｎに累積通紙枚数Ｌが一連の印刷要求中に達したと判断した場合（ステップ４で「ｙｅｓ」）は、ステップ７以降へ分岐する。
【００４２】
そして、実行中の印刷要求の印刷残り枚数Ｍと清掃間隔通紙枚数Ｎを比較し（ステップ７）、Ｎ／１０＞Ｍの場合にはステップ８以降へ進んでその残り枚数の印刷を実行（ステップ８、９）後、清掃動作を実行し（ステップ１０、１１）、Ｎ／１０≦Ｍの場合にはステップ１４以降へ進んで印刷動作を一時中断（ステップ１４）し、それから清掃動作を実行し（ステップ１５、１６）、その後印刷動作を再開（ステップ１７、ステップ３以降）するという制御を実行する。なおステップ１２、１７でのＬ＝０は、累積通紙枚数のカウントを０に戻すことである。
【実施例５】
【００４３】
図７を用いて本発明に係る清掃装置の第５実施例を説明する。図７（Ａ）、（Ｂ）は第５実施例の動作のフロー図である。この実施例は、清掃動作を実行時に印刷ジョブの入力があった場合、清掃動作が完了するまで記録動作を待機させる（図７Ａ）、記録動作中に清掃動作を実行する入力があった場合は、記録動作が完了するまで清掃動作を待機させる（図７Ｂ）制御を行うことにより、「ジョブ待ち→ジョブ入力→ジョブ実行→ジョブ完了→ジョブ待ち」というジョブの一連の流れを妨げないようにするものである。
【００４４】
図７Ａでは、清掃動作を実行時（ステップ１、２）に印刷ジョブの入力があった場合（ステップ３）、清掃動作が完了するまで記録動作を待機させ（ステップ４）、清掃動作完了（ステップ５）により記録動作を再開、完了させる（ステップ６、７）。もちろんステップ３において印刷ジョブの入力がなかったと判断した場合は清掃動作の完了（ステップ８）となる。
【００４５】
図７Ｂでは、印刷ジョブの入力、記録動作開始後（ステップ１、２）に清掃動作の実行入力があった場合（ステップ３）、記録動作が完了するまで清掃動作を待機させ（ステップ４）、記録動作完了（ステップ５）により清掃動作を開始、完了させる（ステップ６、７）。もちろんステップ３において清掃動作の実行入力がなかったと判断した場合は記録動作の完了（ステップ８）となる。
【００４６】
なお以上の各実施例において、レジストローラ２３ｂの清掃動作を開始させる実行ボタンを操作部に配設し、この実行ボタンからレジストローラ２３ｂの清掃動作の実行を入力する構成とすることができる。このような実行ボタンを設けることによって、記録動作実行時以外の任意な時に清掃動作を実行することができる。
【００４７】
またレジストローラ２３ｂの清掃動作を実行時に清掃動作を実行している旨を例えば図５の表示部１０２に表示し、ユーザに清掃中であることを告知することもできる。
【図面の簡単な説明】
【００４８】
【図１】本発明の実施対象となるカラーに係る画像形成装置の一例を示す概略的断面図
【図２】本発明に係る清掃装置におけるレジスト部の要部を簡略的に示す断面図
【図３】本発明に係る清掃装置におけるレジスト部の要部を簡略的に示す断面図
【図４】本発明に係る清掃装置におけるレジスト部の要部を簡略的に示す側面図
【図５】本発明に係る清掃装置を採用する画像形成装置の構成を簡略的に示す機能ブロック図
【図６】図５の装置の動作のフロー図である。
【図７】第５実施例の動作のフロー図
【符号の説明】
【００４９】
１  画像形成部
２  給紙部
３  読取部
４  排紙収納部
５  中間転写ベルト
６  作像部
７  露光装置
８  定着装置
９  両面装置
２１  給紙トレイ
２３  レジストローラ
２３ａ、２３ｂ  レジストローラ
２３ｃ  クリーニングウェブ
２３ｄ  加圧ローラ
２３ｅ  ウェブ巻取りローラ
２３ｆ  ウェブ送り出しローラ
２３ｇ  ダミーローラ
２３ｈ  電磁ソレノイド
２３ｊ  リンク機構
２４  底板
２５  ピックアップローラ
２６  給紙ローラ
３１  コンタクトガラス
３２、３３  読み取り走行体
３４  レンズ
３５  ＣＣＤ
３６  自動原稿搬送装置
４１  排紙ローラ
５１  転写装置
５２  中間転写クリーニング装置
６１  感光体
６２  帯電装置
６３  現像装置
６４  クリーニング装置
９１  分岐部
９２  反転排紙ローラ
１００  画像形成装置
１０１  コントローラ制御部
１０２  表示部
１０３  エンジン制御部
２００  ホストコンピュータ
Ｐ  用紙
【図１】
2006117420.tif 000003
【図２】
2006117420.tif 000004
【図３】
2006117420.tif 000005
【図４】
2006117420.tif 000006
【図５】
2006117420.tif 000007
【図６】
2006117420.tif 000008
【図７】
2006117420.tif 000009